(57)【要約】【課題】    本の大きさ、厚薄に係らず大多数の本を載置できるようにする。【解決手段】    柔軟で四角形状の載置板の下方部に、本の下端部を保持し、且、頁の下方部を抑える頁抑えを具備した保持板部を形成し、載置板の両側と上端部に突起部と掛け部を形成した載置板に、丸棒の支柱を回動自在に取り付け、空きびんを介して箱にセットして構成した書見台において、載置板の上下左右側の端部に、複数連設した突起状の掛け部を形成する。【選択図】図１
2011110316.tif 000002
【特許請求の範囲】
【請求項１】
柔軟で四角形状の載置板の下方部に、本の下端部を保持し、且、頁の下方部を抑える頁抑えを具備した保持板部を形成し、載置板の両側と上端部に突起部と掛け部を形成した載置板に、丸棒の支柱を回動自在に取り付け、空きびんを介して箱に設置して構成した書見台において、下記の要件を備えたことを特徴とする万能書見台。
（イ）載置板の上下左右側の端部に、複数連設した突起状の掛け部が形成されていること。
【請求項２】
請求項１に記載のものにおいて、下記の要件を備えたことを特徴とする万能書見台
（イ）載置板の上方部の左右の箇所に、載置板上端部向きの突出部を形成していること。
（ロ）載置板の上方部の中央部の箇所に、載置板下端部向きの突出部を形成していること。
（ハ）載置板の右側方部の中央部の箇所に、左向きの突出部を形成していること。
（ニ）載置板の左側方部の中央部の箇所に、右向きの突出部を形成していること。
【発明の詳細な説明】
【技術分野】
【０００１】
本発明は、読書を座位、仰臥等多様な状態ででき、また、新聞の閲覧にも使用できる書見台の改良に関し、従来のものに比べて使い勝手を良くしたものである。
【背景技術】
【０００２】
従来の書見台には、載置板と支柱．空きびん．箱で構成したものがある。また、書見台で新聞を閲覧するため、載置板にうちわを取り付け使用するようにしている。
【０００３】
以下、図７により従来の書見台について説明する。図において、１は載置板で柔軟な合成樹脂板で形成し、下方部には、載置板１に載置して開いた本５の下端部を支え、且、開いた両頁１０の下方部を抑える頁抑え１８を具備した一対の保持板部３と、載置板１と支柱１１を紐１９で縛着する一対の取付溝孔２０を形成している。また、載置板１の上部と両側に載置板１の上隅に、輪ゴム７を掛け渡すための掛け部２と突起部２１を形成している。
【０００４】
載置板１に開いた本を載置するには、両保持板部３を湾曲状に突出させ、その上端部に本の下端部を載せる。その場合、保持板部３に形成している頁抑え１８が、開いた本５の下方部を抑えて開いた状態を保持する。また、上端部の掛け部２と両側の突起部２１に夫々輪ゴム７を掛渡して、開いた本５の両上隅を抑えて開いた状態を保持する。また、開いた本５が載置板１上で安定的にに載置するため、載置板１と本５の表紙のクリップ留めは、載置板１の両側に形成している凹状部により、本５の大小に係らず留めることができる。また、本５を載置した載置板１は、載置板単独ででも机上やテーブル上で箱１３等に傾斜立設して使用することができる。更に、仰臥や床上で使用する場合は、載置板１に丸棒の支柱１１を回動自在に取り付け、取付溝孔２０や保持板部３の抜き部２２と支柱１１を紐１９で縛着して傾斜状態を固定することもできる。更に、支柱１１を空きびん１７に挿通且固定し、傾斜して立設することができる。更に、載置板１の上方部の両側に長方形状の挿通孔２３を設け、うちわの柄２４を挿通して取り付け、載置板１を拡大して、新聞等大型のものを載置可能にすることができる。
【先行技術文献】
【特許文献】
【０００５】
【特許文献１】特願２００８−３０７０７７
【発明の概要】
【発明が解決しようとする課題】
【０００６】
以上に述べた従来の書見台では、様々な問題点があった。その（１）は、載置板に載置する本は、湾曲状に突出形成した頁抑えを具備した保持板部で支え且抑えるため、載置板表面と頁抑えの隙間に収めることが可能な厚さの本でなければ載置することができなかった。厚目の本を収めるには、保持板部をより長く形成し、前記した隙間を大にすることにより可能となるが、小型本、例えば文庫本等を載置した場合、開いた両頁の中心部を抑えることができなくなるので、頁の抑え具合が不安定になる。また、本のサイズにより頁の下方部の余白に大小の違いがあり、保持板部の頁抑えの上下の長さを単行本の余白に合わせて形成すると、余白が小さい文庫本等では、頁抑えが活字を隠蔽することになる。逆に、頁抑えの長さを文庫本等に合わせて形成すると、本の頁部分より表裏の表紙が大き目に形成している本の場合、両頁の下端部の抑えが不十分になる。また、左右の頁の厚さは、読書の進行過程で変化するが、読み始めや終了間際は頁が薄くなり、輪ゴムで充分に抑えることができなかった。また、（２）載置板上に載置した本を安定的に保持するために、読書の度に載置板と本の表紙をクリップ等で挟むことは面倒であり見栄えの良いものではなかった。また、クリップを紛失することもあった。また、（３）載置板に支柱を固定する場合、載置板の取付溝孔や保持板部の抜き部と支柱を紐で縛着していたが、その処置が面倒であった。また、（４）載置板の大きさと同程度、または、サイズ大の本を載置した場合、載置板の上端部の掛け部と両側部の突起部に輪ゴムを掛け渡すことができない場合があり、また、なんとか掛け渡しても外れ易く、開いた本の両隅を安定的に抑えることができなかった。更に、（５）新聞の閲覧に活用するには、常にうちはを用意しておかなければならないため、特にうちわを使用しない寒冷時は用意することに難があった。また、（６）載置板を単独で、机上で何かに立て掛けて使用する場合、机上面と載置板下端部の接触部が滑り易く、立設が不安定になることがあった。また、（７）床上や仰臥で使用するため、支柱をびん口部に挿通して取り付ける場合、びん口部の内径に支柱の外径が合うように、ビニールテープ等を捲着して支柱を嵌合していたが載置板の高さを調節するときは、その都度、ビニールを捲き直し捲着しなければず手間がかかっていた。
【０００７】
本発明は、このような従来の構成が有していた多くの諸問題を解決しようとするものであり、（１）どのような厚さの本でも載置できる。また、載置した本の頁を抑える輪ゴムの張りの強さを調節できる。（２）載置した本が見栄えよく安定的に保持できる。（３）載置板に取り付ける支柱の固定処置が容易になる。（４）本の大きさに係らわず開いた本の四隅を抑える掛け渡した輪ゴムが外れなくなる。更に、（５）身近にある厚紙やダンボール板等を附加すれば、簡単に新聞を載置して閲覧することができる。また、（６）載置板をペットボトルと箱と組合せて、机上での安定した使用を保持する。また、（７）びん口部に取り付ける支柱の高さ調整を容易にする。以上のような書見台を実現することを目的とするものである。
【課題を解決するための手段】
【０００８】
そして、本発明は上記目的を達成するために、柔軟で四角形状の載置板の下方部に、本の下端部を保持し、且、頁の下方部を抑える頁抑えを具備した保持板部を形成し、載置板の両側と上端部に突起部と掛け部を形成した載置板に支柱を回動自在に取り付け、空きびんを介して箱にセットして構成した書見台において、前記載置板の上下左右側の端部に、複数連設した突起状の掛け部が形成されたものである。
【０００９】
突起状の掛け部は上下左右夫々１箇か２箇でもよいが、多数連設して形成すると、載置する本の大きさにより、上端部と側端部の掛け部間、側端部と下端部の掛け部間夫々適宜の箇所の掛け部に、輪ゴムを掛け渡すことができるようになる。
【００１０】
また、第２の課題解決手段は、上記の解決手段に加えて載置板の上方部の左右の箇所に載置板上端部向きの突出部を形成し、載置板上方部の中央部の箇所に載置板下端部向きの突出部と、載置板の右側方部の中央部の箇所に左向きの突出部と、載置板の左側方部の中央部の箇所に、右向きの突出部を夫々形成したものである。
【００１１】
上記第１の解決手段による作用は次ぎの通りである。まず、載置板に本を載置する。その場合、表表紙と裏表紙の下端部を保持板部の上端部に載せ、且、左右の保持板部の頁抑えで開いた表表紙と裏表紙を抑え、頁部分を両表紙上に重ねる。また、上側掛け部と右側掛け部、上側掛け部と左側掛け部、下側掛け部と右側掛け部、下側掛け部と左側掛け部の夫々適宜の箇所を選択し、夫々輪ゴムを掛け渡して開いた本の四隅を抑えることができる。複数の掛け部の形成で、活字を隠蔽することなく安定的に開いた頁を抑える、輪ゴムを掛け渡す最適の掛け部を選択できるようになった。また、開いた本は、保持板部と四本の輪ゴムで支え、且、抑えるので載置板上に開いた本の安定を保持することができる。更に、引張力がある輪ゴムで頁の四隅を抑えるので、厚薄に係らず大多数の本を載置できるようになつた。更に、掛け渡した輪ゴムの張力は、例えば、図１のＢに示すように、下端部の掛け部に掛けた輪ゴムは、右側端部の掛け部を介して他の掛け部に掛け留め、輪ゴムの引張力を調節することができるようになった。
【００１２】
また、載置板の四辺に形成した掛け部で、本の四隅を掛け渡した輪ゴムでの頁抑えが可能になり、例え、輪ゴムが活字の上を抑えても、掛け渡した輪ゴムは、引張して細くなるので活字の判読に支障にならない。（市販されている普通の輪ゴムは引き延ばすと０．５ミリ以下になる）また、輪ゴムで抑えた頁を捲り、隣頁の輪ゴム下部への収めは、ゴムの柔軟性により容易に行うことができ、使い勝手が良くなる。
【００１３】
また、回動自在に載置板に取り付けている支柱は、載置板の下端部の掛け部は適宜の箇所を選択して、支柱と掛部を輪ゴムで捲着し固定することができるので、載置板への支柱の取り付け及び角度調整が容易になる。
【００１４】
また、第２の解決手段による作用は、載置板裏側方向に押し曲げて突出させた載置板上方部と両側方部の突出部を介して、載置板表側の四隅に輪ゴムを掛け渡し載置した本を抑えることができる。各突出部の向きが載置板の中心方向向きに形成しているので、掛けた輪ゴムは載置板の外側に引張しても外れることはなく、開いた本のサイズが載置板の大きさと同程度、または、大であっても四隅を安定的に抑えることができる。
【００１５】
更に、載置板上方部の両側に形成した突出部を載置板の表側に押し曲げて突出させ、載置板と突出部の間に載置板程度の大きさの厚紙やダンボール板等を挟持し、載置面積を拡大して新聞等を載置することができるようになる。
【００１６】
また、書見台を机上で使用するには、載置板と箱とペットボトルを組合せて使用し、載置板下端部に連設して形成している掛け部の谷部分を、箱の両側板と組合せて左右の動きを防止することができる。また、前記掛け部の前側は、箱の前側板で留められ前後の動きを防止できる。更に、箱内に立設した、錘として水を入れたペットボトルに載置板を立て掛け使用することができる。
【００１７】
更に、支柱に捲いた輪ゴムは柔軟であるので、支柱の側面に沿って上下に移動させることができ、また、びん口部の内径と支柱の外径による隙間は、柔軟な輪ゴムで密着されるので、容易に載置板の高さ調整し、びんに固定することができる。
【発明の効果】
【００１８】
上述したように、本発明の万能書見台は、載置板の上下左右端部の全てに複数の連設した掛け部と、載置板の表裏に突出部を形成するという、簡単な構造の改良で、後述する従来有していた全ての問題点を解決することができた。                                  
【００１９】
開いて載置した本の四隅を輪ゴムで抑えることができるようになり、本の厚薄に係らず大多数の本を載置できるようになった。また、複数の掛け部を適宜に組合せ、活字の隠蔽を防止した輪ゴム掛け渡しができる。更に、保持板部と表紙抑えと輪ゴムによる四隅の抑えにより、載置板上の本の安定保持は見た目も良く、使い勝ってがよくなった。また、連設した複数の掛け部を四辺に形成することにより、輪ゴムの引張力を調整できるようになった。
【００２０】
また、載置板と同程度、または、サイズの大なる本を載置しても、突出部を介して輪ゴムで抑えるので、輪ゴムの外れを防止できる。
【００２１】
また、載置板と支柱の固定は、載置板下端部に形成した掛け部のいずれか一つと、支柱を輪ゴムで捲着すればよく、取付操作が容易になった。
【００２２】
更に、載置板上方部に形成した突出部に厚紙やダンボール板等身近にあるものを使用して、容易に載置板の拡大ができるようになった。
【００２３】
また、載置板下端部の掛け部と箱の側板と前側板の組合せにより、載置板の前後左右の動きを防止して、机上で安定して使用できるようになった。
【図面の簡単な説明】
【００２４】
【図１】図１は実施例１の載置板の平面図とＡ−Ａ矢視図である。
【図２】図２は実施例１の使用状態を示す参考平面図である。
【図３】図３は実施例１の使用状態を示す参考正面図である。
【図４】図４は実施例２の平面図兼使用状態の参考図である。
【図５】図５は書見台を机上で使用する場合の参考図である。
【図６】図６は書見台を床上や仰臥で使用する場合の部分参考図である。
【図７】図７は従来の書見台の説明図である。
【発明を実施するための形態】
【００２５】
以下、本発明の実施の形態を図１から図６に基づいて説明する。
【実施例１】
【００２６】
図１、２、３においては、１は柔軟な合成樹脂で形成した四角形状の載置板である。載置板１の上下左右側の端部に、山と谷を交互に連設して形成し、その山を輪ゴム７を掛ける掛け部２としている。載置板１の下方部にＬ状と逆Ｌ状の保持板部３を左右対称に切り線４で切り抜いて形成し、Ｌ状と逆Ｌ状の縦方向部分の先端部は表紙抑え６としている。
【００２７】
以下、上記構成の動作を説明する。開いた本５の表裏表紙の下端部を保持板部３の上端部に載せ、且、保持板部３の表紙抑え６で表裏の表紙の内側を抑えて載置板１に載置する。次に、開いた本５の四隅の夫々を抑えるように、載置板１の上部側と側部側、下部側と側部側間に輪ゴムを掛け渡し、載置板１上に開いた本５を保持し、且、頁の捲り上がりを防止することができる。また、掛け部２間に掛けた輪ゴム７は並列状になり、一本は表紙と裏表紙を抑え、他の一本が開いた頁１０を抑えることができる。また、載置板１にビスとナットで回動自在に取り付けた支柱１１は、支柱１１と重なる下端部の掛け部２を輪ゴム７で捲着して固定することができる。支柱１１と掛け部２を捲いた輪ゴム７の一端は、隣接の掛け部２に掛けて留めして容易に固定できる。
【実施例２】
【００２８】
図４の実施例は、本５のサイズが載置板１の大きさと同程度、または、より大の場合に使用するもので、載置板１の右側中央部に左向きの突出部１２、左側中央部に右向きの突出部１２、上方中央部に下向きの突出部１２を形成している。また、上方部の左右の箇所に上向きの突出部１２を形成している。これらの突出部１２は全て切り線を切り抜き、また、打ち抜いて形成している。                                                      
【００２９】
以下、上記構成の動作を説明する。両側と上側中央部の突出部１２の先端部を裏側に押し出して突起させる。載置板１の裏側で輪ゴム７の両端を突出部１２に掛け、側部と上部の掛け部２及び本５の端部を介して、輪ゴム７で本５の四隅を抑えることができる。また、載置板１の上部両側の上向きの突出部１２を表側に押し出して突起させ、載置板１と突出部１２の間に別途用意した四角形状の厚紙を挟持して、載置板１の面積を拡大することができる。
【００３０】
図５は、載置板１を箱１３と錘として水を入れたペットボトル１４と組合せて、机上で使用する場合を示したもので、箱１３に入れたペットボトル１４に載置板１を傾斜して立てかけ、下端部の掛け部２谷部を箱１３の側板１５に嵌め込み、且、掛け部２の前側は箱１３の前側板１６で留めるので、箱１３にセットすることができる。また、図６は、床上や仰臥で使用する場合を示したもので、載置板１に取り付けた支柱１１は、空きびん１７を介して、ペットボトルの錘を入れた箱１３にセットすることができる。支柱１１に輪ゴム７を捲き、びん１７口部に挿通すると輪ゴム７の摩擦抵抗で、支柱１１はびん１７口部に嵌合することができる。更に、びん１７はペットボトルと箱１３の側板１５間に、傾斜または直立状態で挟持してセットすることができる。
【産業上の利用可能性】
【００３１】
ポスター、広告等商業用の販売促進用スタンドに活用できる。
【符号の説明】
【００３２】
１    載置板
２    掛け部
３    保持板部
４    切り線
６    表紙抑え
７    輪ゴム
１１  支柱
１２  突出部
【図１】
2011110316.tif 000003
【図２】
2011110316.tif 000004
【図３】
2011110316.tif 000005
【図４】
2011110316.tif 000006
【図５】
2011110316.tif 000007
【図６】
2011110316.tif 000008
【図７】
2011110316.tif 000009